(57)【特許請求の範囲】
【請求項１】
略筒状に形成され、一端に軸方向に沿って設けられた複数の切り込みを有し先端外周面に被接続管の周面に開口形成された開口部の内縁に係止する係止爪部を有する弾性変形可能な複数の弾性片を備え、他端に外周面に沿って設けられた雄ねじ部および内周面に沿って設けられた凹条を備えた係止体と、
略筒状に形成され、一端が前記係止体に嵌挿され、他端に内周面に沿って挿通された分岐管の外周面に圧接する略環状の弾性体を有し前記分岐管を液密に嵌合保持する保持部が一体に成形され、軸方向の中心域の外周面に沿って設けられ前記係止体の凹条と係合する凸条を備え、この凸条よりも前記保持部側の外周面に沿って設けられた環状の嵌合溝を備えた継手体と、
この継手体の嵌合溝に嵌合する略環状の係止片と、
前記係止体の係止爪部のこの係止体の軸方向の中心域の外縁に沿って取り付けられた略環状の止水体と、
略筒状に形成され、内周面に前記係止体の雄ねじ部に螺合する雌ねじ部を備え、前記継手体に挿通され、一端に内周面に向けて突出し前記係止片に係合する鍔部を備え、他端が前記雌ねじ部の螺合により前記止水体の一端面に圧接しこの止水体を前記被接続管の外周面に液密に押圧するとともに前記継手体の外周面にて前記係止体の弾性片を前記被接続管の開口部の周縁に押圧させる押え具と
を具備したことを特徴とした分岐継手。
【請求項２】
継手体は、嵌合溝よりも保持部側の外周面に沿って外側嵌合溝が設けられ、
この外側嵌合溝に嵌合する外側係止片を備え、
押え具は、鍔部が係止片および前記外側係止片にて挟持されて前記継手体の外周面に係止された
ことを特徴とした請求項１記載の分岐継手。
【請求項３】
継手体は、内周面が平滑に形成された
ことを特徴とした請求項１または２記載の分岐継手。
【発明の詳細な説明】
【０００１】
【発明の属する技術分野】
本発明は、被接続管から分岐して分岐管を接続する分岐継手に関する。
【０００２】
【従来の技術】
従来、この種の分岐継手としては、いわゆるサドル付きの管継手が知られている。
【０００３】
そして、この管継手は、まず被接続管としての排水管の所定の位置にたとえばホールソーなどにて開口部を形成し、この管継手のサドル部に接合剤を塗布する。この後、この管継手を開口部に接合し、たとえば番線などにて動かないように締め付ける。そして、分岐管を管継手に挿通させて接続し排水管に分岐管を分岐させている。
【０００４】
しかしながら、上述の管継手では、接合剤を塗布し、さらに番線で動かないように締め付けるなど作業性が悪く手間がかかる。
【０００５】
そこで、たとえば特開平８−２４７３６９号公報に記載の分岐継手が考えられている。
【０００６】
この分岐継手は、軸方向に沿って複数の切り込みを有し、排水管の開口部の縁に係止する係止爪部を先端外周に有する複数の弾性片からなる略筒状の係止部とこの係止部の反対側の端に雄ねじ部を有した略筒状の胴体部とを備えた係止体としての取付体を備えている。また、この分岐継手は、内周面に分岐管を嵌合保持する保持部を備えた略筒状の継手体を備えている。さらに、この分岐継手は、内周面に設けられ取付体の雄ねじ部に螺合する雌ねじ部を備え継手体を排水管に向けて押圧する略筒状の押え具としての袋ナットを備えている。
【０００７】
そして、この分岐継手は、たとえばホールソーなどにて開口形成した排水管の開口部にこの排水管の外側から取付体を挿入すると、弾性片がこの弾性片を形成する樹脂、たとえば塩化ビニルなどの弾性により弾性変形して開口部に挿入され、係止爪部が開口部の内縁に係合してこの分岐継手を排水管に係止させる。
【０００８】
この後、袋ナットを締め付けると、雄ねじ部と雌ねじ部とが螺合し、この袋ナットにて継手体が取付体に押圧される。
【０００９】
そして、この継手体に分岐管を嵌挿してこの継手体の保持部にて分岐管を嵌合保持し、排水管に分岐管を分岐させる。
【００１０】
しかしながら、この分岐継手では、継手体の保持部がたとえば接着にて分岐管を嵌合保持する、いわゆる接着受口である場合には、さほど問題が生じないものの、継手体の保持部をたとえば弾性体としてのゴム輪にて分岐管を液密に保持する、いわゆるゴム輪受口にすると、このゴム輪の厚みの分だけ継手体の保持部側が大きくなる。これにより、保持部を継手体と一体に成形すると、袋ナットを受口側から継手体に挿通させるためにはこの袋ナットを大きくしなければならないので、分岐継手が大きくなり実用的でない。一方、この分岐継手を形成する際に保持部を継手体と一体に成形しないと、袋ナットを継手体に挿通した後保持部を継手体に接着する必要があるため、工数が増えて手間がかかるとともに製造コストが割高になるなど使い勝手がよくない。
【００１１】
さらに、特開２００１−５６０８３号公報に記載の分岐継手としてのナット締付型支管も知られている。
【００１２】
このナット締付型支管は、継手体としての支管本体の一端に分岐管を嵌合保持する保持部を形成し、この支管本体の保持部の反対側の端に排水管の側面に開口形成された開口部より径大のフランジを一体成形する。また、支管本体の外周にこのフランジを開口部に挿入するための凹部を形成し、この支管本体に挿通された押え具としてのナットを締め付けてフランジを排水管の開口部の内縁に圧接させる。そして、分岐管を支管本体に挿通し、この支管本体の保持部にて分岐管を嵌合保持して排水管からこの分岐管を分岐させる。
【００１３】
しかしながら、このナット締付型支管では、上述の特開平８−２４７３６９号公報に記載の分岐継手と同様に、支管本体の保持部がたとえば接着受口である場合には、さほど問題は生じないものの、支管本体の保持部がたとえばゴム輪受口である場合には、ナットの内径を大きくしないと支管本体にナットを挿通できず、このナットが大きくなる。
【００１４】
また、排水管の外側からこのナット締付型支管を挿入させることにより、フランジ部をあまり大きくできないため、このナット締付型支管が排水管から抜けてしまうおそれがあるなど、使い勝手がよくない。
【００１５】
【発明が解決しようとする課題】
上述したように、特開平８−２４７３６９号公報に記載の分岐継手および特開２００１−５６０８３号公報に記載のナット締付型支管では、ナットの大きさが大きくなり、使い勝手がよくないという問題点を有している。
【００１６】
本発明はこのような点に鑑みなされたもので、小型で使い勝手がよい分岐継手を提供することを目的とする。
【００１７】
【課題を解決するための手段】
請求項１記載の分岐継手は、略筒状に形成され、一端に軸方向に沿って設けられた複数の切り込みを有し先端外周面に被接続管の周面に開口形成された開口部の内縁に係止する係止爪部を有する弾性変形可能な複数の弾性片を備え、他端に外周面に沿って設けられた雄ねじ部および内周面に沿って設けられた凹条を備えた係止体と、略筒状に形成され、一端が前記係止体に嵌挿され、他端に内周面に沿って挿通された分岐管の外周面に圧接する略環状の弾性体を有し前記分岐管を液密に嵌合保持する保持部が一体に成形され、軸方向の中心域の外周面に沿って設けられ前記係止体の凹条と係合する凸条を備え、この凸条よりも前記保持部側の外周面に沿って設けられた環状の嵌合溝を備えた継手体と、この継手体の嵌合溝に嵌合する略環状の係止片と、前記係止体の係止爪部のこの係止体の軸方向の中心域の外縁に沿って取り付けられた略環状の止水体と、略筒状に形成され、内周面に前記係止体の雄ねじ部に螺合する雌ねじ部を備え、前記継手体に挿通され、一端に内周面に向けて突出し前記係止片に係合する鍔部を備え、他端が前記雌ねじ部の螺合により前記止水体の一端面に圧接しこの止水体を前記被接続管の外周面に液密に押圧するとともに前記継手体の外周面にて前記係止体の弾性片を前記被接続管の開口部の周縁に押圧させる押え具とを具備したものである。
【００１８】
そして、継手体の一端に略環状の弾性体を有した保持部を一体成形し、この継手体における保持部と反対側の端から押え具を挿通して、この押え具の鍔部が係止片に係合することによりこの押え具が継手体の外周面に係止する。この結果、押え具を大きくせずともこの押え具を継手体に挿通できるため、小型にできる。さらに、被接続管の周面に開口形成した開口部に係止体の弾性片を挿入し、この弾性片の係止爪部にて係止体を被接続管に係止させる。そして、押え具の雌ねじ部を係止体の雄ねじ部に螺合すると、この押え具の一端が止水体の一端面に圧接しこの止水体が被接続管の外周面に液密に押圧されるとともに、係止体に嵌挿した継手体の外周面が弾性片を開口部の周縁に押圧する。これにより、係止体が確実に排水管に係止して抜けにくくなるため使い勝手が向上する。
【００１９】
請求項２記載の分岐継手は、請求項１記載の分岐継手において、継手体は、嵌合溝よりも保持部側の外周面に沿って外側嵌合溝が設けられ、この外側嵌合溝に嵌合する外側係止片を備え、押え具は、鍔部が係止片および前記外側係止片にて挟持されて前記継手体の外周面に係止されたものである。
【００２０】
そして、嵌合溝よりも保持部側の外周面に沿って外側嵌合溝を設け、この外側嵌合溝に嵌合する外側係止片および係止片にて押え具の鍔部を挟持して継手体の外周面に係止する。この結果、係止体の雄ねじ部と押え具の雌ねじ部と螺合を外すと、この押え具と継手体とが連動して継手体が係止体の弾性片を被接続管の開口部の周縁に押圧しない位置まで移動するため、係止体が被接続管から容易に取り外される。
【００２１】
請求項３記載の分岐継手は、請求項１または２記載の分岐継手において、継手体は、内周面が平滑に形成されたものである。
【００２２】
そして、継手体の内周面を平滑に形成したことにより、いわゆる分岐管のやりとりができるため、分岐管が隙間なく継手体に嵌挿されるので、排水が円滑に流れる。
【００２３】
【発明の実施の形態】
以下、本発明の分岐継手の一実施の形態の構成を図１ないし図４を参照して説明する。
【００２４】
図１において、１は分岐継手である。この分岐継手１は、略筒状に形成された係止体２を備えている。この係止体２は、たとえば塩化ビニルなどの樹脂にて成形されており、一端に弾性変形可能な複数、たとえば１２個の弾性片３を有している。また、係止体２の弾性片３を有した端は、後述の排水管の内周形状に合せた上面視で略凹弧状に形成されている。さらに、弾性片３は、係止体２の軸方向に沿ってこの係止体２の外周方向に略均等に設けられた複数、たとえば１２箇所の切り込みであるスリット４にて形成され、これらスリット４は、たとえば係止体２の一端からこの係止体２の軸方向寸法の約４分の１の長さ分切り込まれている。そして、これら弾性片３の先端外周面には、断面視で略三角形状の係止爪部５が設けられている。
【００２５】
さらに、係止体２の外周面における係止爪部５の係止体２の軸方向の中心側には、被接続管としての略円筒形状の排水管１１の肉厚分の幅寸法を有する嵌合凹部１２が形成されている。ここで、係止爪部５は、排水管１１の周面に開口形成された開口部１３の内縁に係止し、嵌合凹部１２が排水管１１の周面の断面に嵌合する。また、係止体２におけるこの嵌合凹部１２の軸方向の中心側には、スリット４に連続に胴体部１４が形成されている。この胴体部１４の内周面には、この内周面に沿って嵌合溝１５が設けられている。そして、この嵌合溝１５には、Ｏリング１６が取り付けられている。このＯリング１６は、たとえばゴムなどの弾性体にて形成され、嵌合溝１５に取り付けられた状態で係止体２の内周面よりもわずかに突出している。
【００２６】
また、係止体２の外周面における胴体部１４の中心側には、係止体２の外周に沿って止水体嵌合溝２１が形成されている。この止水体嵌合溝２１は、たとえば係止体２の軸方向寸法の約６分の１にわたって形成されている。一方、係止体２の内周面における胴体部１４の弾性片３と反対側には、この係止体２の内周面に沿ってこの係止体２における弾性片と反対側の端まで凹条２２が形成されている。さらに、係止体２の外周面における弾性片３と反対側の端には、止水体嵌合溝２１に隣接した部分から、この係止体２の外周面に沿って雄ねじ部２３が形成されている。
【００２７】
また、係止体２における係止爪部５のこの係止体２の軸方向の中心側である嵌合凹部１２の縁に沿った胴体部１４上には、略環状の止水体３１が取り付けられている。この止水体３１は、略環状の止水リング３１ａと、略環状のスペーサ３１ｂとで構成されている。ここで、止水リング３１ａは、たとえばゴムなどの弾性体にて形成されており、断面視で係止体２の径方向側が略矩形状に形成され、係止体２の中心軸方向側が略円形状に形成されている。さらに、止水リング３１ａにおける係止爪部５側の面には凹凸部３１ｃが形成され、この凹凸部３１ｃの反対側の面には、略環状の嵌合溝３１ｄが形成されている。一方、スペーサ３１ｂは、止水リング３１ａの嵌合溝３１ｄと嵌合しており、断面視で略Ｌ字状に形成されている。さらに、このスペーサ３１ｂにおける係止体２側の面には、この係止体２の止水体嵌合溝２１と係合してこのスペーサ３１ｂを係止体２に係止させる突出部３１ｅが、係止体２の中心軸側の側面に突出形成されている。これら突出部３１ｅおよび止水体嵌合溝２１にて、係止体２およびスペーサ３１ｂはいわゆるキー結合している。一方、スペーサ３１ｂの止水リング３１ａと反対側の端には、断面視で略矩形状に形成された平面状の一端面である当接部３２が形成されている。
【００２８】
そして、４１は継手体であり、この継手体４１は、たとえば塩化ビニルなどの樹脂にて、略円筒形状の分岐管４２の外径よりもわずかに大きい内径の略筒状に形成されている。この継手体４１の軸方向寸法は、たとえば係止体２の軸方向寸法の約２．５倍である。この継手体４１の一端は、係止体２のＯリング１６よりもわずかに弾性片３寄りの位置まで嵌挿され、Ｏリング１６にて液密に嵌合保持されている。さらに、この継手体４１の係止体２に嵌挿される端は、係止体２の弾性片３を有した端に沿った上面視で略凹弧状に形成されている。一方、継手体４１の他端には、この継手体４１の他の部分よりもこの継手体４１の肉厚分径大に形成された保持部としてのゴム輪受口４３がこの継手体４１と一体に成形されている。
【００２９】
また、ゴム輪受口４３には、このゴム輪受口４３の内周面に沿って環状の保持溝４３ａが形成されている。さらに、この保持溝４３ａには、弾性体としてのたとえばゴムなどにて形成された環状のゴムリング４３ｂが取り付けられている。このゴムリング４３ｂは、断面視で略三角形状の突起４３ｃが継手体４１の軸方向の中心方向に先端を向けて形成されている。そして、ゴム輪受口４３には分岐管４２が挿通され、ゴムリング４３ｂの突起４３ｃがこの分岐管４２の外周面に圧接して、継手体４１の内周面と断面視で略面一となり、分岐管４２を液密に嵌合保持する。また、ゴム輪受口４３の外周面における継手体４１の中心側には、継手体４１との段部である肩部４３ｄが形成されている。
【００３０】
さらに、継手体４１の軸方向の中心域の外周面には、この継手体４１の外周面に沿って凸条４４が突出形成されている。この凸条４４は、係止体２の凹条２２と係合する形状および長さを有しており、この凹条２２と係合していわゆるキー結合する。また、継手体４１の外周面における凸条４４のゴム輪受口４３側には、この継手体４１の外周面に沿って環状の嵌合溝４５が形成されている。
【００３１】
そして、この嵌合溝４５には、略環状の係止片としてのストップリング５１が嵌合されている。このストップリング５１は、断面視で略Ｌ字状に形成されており、先端が凸条４４側に向けて嵌合して嵌合溝４５に取り付けられている。さらに、継手体４１の外周面における嵌合溝４５よりもこの嵌合溝４５の幅寸法ほどのゴム輪受口４３側の部分には、外側嵌合溝５２がこの継手体４１の外周面に沿って環状に形成されている。この外側嵌合溝５２は、嵌合溝４５と略等しい形状に形成されており、ストップリング５１と略等しい略Ｌ字状の外側係止片としてのストップリング５３が、先端をゴム輪受口４３側に向けて嵌合して取り付けられている。これらストップリング５１およびストップリング５３は、一端が切り欠かれており、継手体４１の中心軸方向に向けて付勢され、上端が略面一であり、これら上端は嵌合溝４５に嵌合された状態で係止体２の外周面よりも断面視で低くなっている。
【００３２】
さらに、６１は押え具としてのいわゆる袋ナットである。この袋ナット６１は略筒状に形成されている。また、この袋ナット６１は、嵌合溝４５とゴム輪受口４３の外周面の肩部４３ｄとまでの距離よりもやや短い軸方向寸法を有している。この袋ナット６１の一端には、この袋ナット６１の内周方向に向けて鍔部６１ａが環状に突出形成されており、この鍔部６１ａは、継手体４１のストップリング５１およびストップリング５３にそれぞれ係合して挟持されることにより、袋ナット６１が継手体４１に係止される。また、袋ナット６１における鍔部６１ａと反対側の端には、断面視で略矩形状に形成された押圧部６１ｂが形成されている。さらに、袋ナット６１の内周面には、この内周面に沿って雌ねじ部６２が形成されている。袋ナット６１は、継手体４１に挿通されて雌ねじ部６２が雄ねじ部２３に螺合することにより、押圧部６１ｂがスペーサ３１ｂの当接部３２に圧接してスペーサ３１ｂを止水リング３１ａに向けて押圧し、止水リング３１ａを排水管１１の外周面に液密に押圧する。同時に、袋ナット６１には継手体４１が連動し、この継手体４１は係止体２に嵌挿されて係止体２の弾性片３を開口部１３の周縁に押圧し、かつ弾性片３が係止体２の中心軸方向に倒れることを防止する。
【００３３】
次に、上記一実施の形態の組立工程を説明する。
【００３４】
まず、ゴム輪受口４３を一体に成形した継手体４１のゴム輪受け口４３と反対側の端から、この継手体４１に袋ナット６１を挿通する。このとき、袋ナット６１は、鍔部６１ａをゴム輪受口４３側に向け、ゴム輪受口４３の外周面の肩部４３ｄと接触する位置まで挿通する。
【００３５】
ここで、嵌合溝４５とゴム輪受口４３の外周面の肩部４３ｄとの距離は、袋ナット６１の軸方向寸法よりも大きいため、嵌合溝４５が袋ナット６１によって隠れない位置まで袋ナット６１を移動できる。
【００３６】
次いで、嵌合溝４５にストップリング５１を嵌合させ、袋ナット６１の鍔部６１ａがこのストップリング５１に接触するまで戻す。
【００３７】
この後、外側嵌合溝５２にストップリング５３を嵌合させて、鍔部６１ａをストップリング５１およびストップリング５３にて挟持し、この袋ナット６１を継手体４１に係止させる。
【００３８】
さらに、係止体２に止水体３１を挿通させ、止水体嵌合溝２１にスペーサ３１ｂの突出部３１ｅを嵌合させてキー結合する。
【００３９】
そして、袋ナット６１を係止させた状態で継手体４１のゴム輪受口４３と反対の端を係止体２に嵌挿し、継手体４１の凸条４４と係止体２の凹条２２と嵌合させてキー結合して分岐継手１を組み立てる。
【００４０】
次に、上記一実施の形態による分岐管の施工方法を説明する。
【００４１】
まず、排水管１１の周面の所定の位置に、たとえばホールソーなどにて開口部１３を形成する。
【００４２】
次いで、分岐継手１の係止体２の弾性片３をこの開口部１３に挿入する。
【００４３】
このとき、弾性片３はスリット４が複数形成されていることによりこれら弾性片３が係止体２の中心軸方向に弾性変形し、弾性片３が開口部１３を通過する。
【００４４】
すると、係止爪部５が弾性により元に戻って開口部１３の内縁に係止し、嵌合凹部１２が排水管１１の周面の断面に嵌合する。
【００４５】
この後、袋ナット６１を回転させて雌ねじ部６２を雄ねじ部２３に螺合させる。
【００４６】
ここで、袋ナット６１が継手体４１の外周面に係止されていることにより、雌ねじ部６２が雄ねじ部２３に螺合するにしたがって継手体４１が係止体２に入り込む。
【００４７】
そして、雌ねじ部６２を雄ねじ部２３に完全に螺合させると、袋ナット６１の押圧部６１ｂがスペーサ３１ｂの当接部３２に圧接しこのスペーサ３１ｂを押圧することにより、止水リング３１ａが排水管１１の外周面に液密に押圧される。
【００４８】
同時に、継手体４１のゴム輪受口４３と反対側の端の外周面が係止体２の弾性片３を係止体２の径方向に圧接し、これら弾性片３が開口部１３の周縁に押圧される。
【００４９】
この状態で、分岐管４２が排水管１１に固着される。
【００５０】
さらに、ゴム輪受口４３に分岐管４２を挿通させる。このとき、ゴムリング４３ｂの突起４３ｃが分岐管４２の外周面に圧接し、この分岐管４２を液密に嵌合保持して、排水管１１に分岐管４２を分岐させる。
【００５１】
上述したように、上記一実施の形態によれば、係止体２、継手体４１および袋ナット６１を別部材にしたことにより、分岐継手１を組み立てる際には、一体成形したゴム輪受口４３と反対側の継手体４１の端から袋ナット６１を挿通できるため、袋ナット６１を大きくせずとも継手体４１に挿通できるので分岐継手１を小型にできる。
【００５２】
また、袋ナット６１の鍔部６１ａをストップリング５１に係合させて袋ナット６１を継手体４１の外周面に係止したことにより、袋ナット６１の雌ねじ部６２を係止体２の雄ねじ部２３に螺合すると、継手体４１が係止体２に嵌挿され、この継手体４１の外周面にて弾性片３を開口部１３の周縁に押圧する。この結果、弾性片３の係止爪部５が確実に開口部１３の内縁に係止され、係止体２が確実に排水管１１に係止して抜けにくくなるため、使い勝手を向上できる。
【００５３】
さらに、継手体４１の内周面を平滑に形成したことにより、分岐管４２の一端を排水管１１側に一度深く押し込み、分岐管４２の図示しない他端側の図示しない継手内部の係止段部に当接するまで分岐管４２を引き戻す作業、いわゆるやり取りができるため、排水が溜まる部分ができず、分岐管４２を継手体４１に隙間なく嵌挿できるので、排水が円滑に流れることができる。
【００５４】
またさらに、分岐継手１を排水管１１から取り外す場合には、ストップリング５３を取り付けたことにより、袋ナット６１の雌ねじ部６２と係止体２の雄ねじ部２３との螺合を外すとこの袋ナット６１と継手体４１とが連動して袋ナット６１に継手体４１が追従する。この結果、継手体４１が係止体２の弾性片３を開口部１３の周縁に押圧しない位置までこの継手体４１を移動できるため、係止爪部５が開口部１３から容易に外れ、分岐継手１を排水管１１から容易に取り外しできる。
【００５５】
そして、袋ナット６１の雌ねじ部６２を係止体２の雄ねじ部２３に螺合すると、袋ナット６１の押圧部６１ｂがスペーサ３１ｂの当接部３２を圧接し、このスペーサ３１ｂが止水リング３１ａを排水管１１の外周面に液密に押圧することにより、嵌合凹部１２などからの水漏れを防止できる。
【００５６】
また、係止体２と継手体４１とをキー結合することにより、分岐継手１を組み立てる際に継手体４１の係止体２に対する位置決めを容易にできるとともに、袋ナット６１を回動した際の供回りを防止できる。同様に、スペーサ３１ｂと係止体２とをキー結合することにより、スペーサ３１ｂの係止体２に対する位置決めを容易にできる。
【００５７】
さらに、止水リング３１ａの排水管１１の外周面に押圧される側の面に凹凸部３１ｃを形成したことにより、止水リング３１ａが排水管１１の外周面に点で押圧されるため、止水リング３１ａがより排水管１１の外周面に強く押圧されるため、液密性を向上できる。
【００５８】
加えて、ゴムリング４３ｂの内周面に突起４３ｃを形成したことにより、この突起４３ｃにて分岐管４２をより液密に嵌合保持できる。
【００５９】
また、Ｏリング１６を係止体２の内周面に沿って取り付けたことにより、係止体２と継手体４１との隙間に水などが入り込み、係止体２の凹条２２と継手体４１の凸条４４とがキー結合している部分、あるいは係止体２の雄ねじ部２３と袋ナット６１の雌ねじ部６２とが螺合している部分からの水漏れを防止できる。
【００６０】
なお、上記一実施の形態において、外側嵌合溝５２およびストップリング５３は、分岐継手１を排水管１１から取り外さない場合にはなくてもよい。この場合には、係止体２の凹条２２と継手体４１の凸条４４とが互いに係合していることにより、継手体４１が排水管１１の方向に押されても、これら凹条２２および凸条４４にて継手体４１が排水管１１の方向に過剰に入り込むことを防止できる。
【００６１】
【発明の効果】
請求項１記載の分岐継手によれば、継手体の一端に略環状の弾性体を有した保持部を一体成形し、この継手体における保持部と反対側の端から押え具を挿通して、この押え具の鍔部が係止片に係合することによりこの押え具が継手体の外周面に係止する。この結果、押え具を大きくせずともこの押え具を継手体に挿通できるため、小型にできる。さらに、被接続管の周面に開口形成した開口部に係止体の弾性片を挿入し、この弾性片の係止爪部にて係止体を被接続管に係止させる。そして、押え具の雌ねじ部を係止体の雄ねじ部に螺合すると、この押え具の一端が止水体の一端面に圧接しこの止水体が被接続管の外周面に液密に押圧されるとともに、係止体に嵌挿した継手体の外周面が弾性片を開口部の周縁に押圧する。これにより、係止体を確実に排水管に係止して抜けにくくできるため使い勝手を向上できる。また、分岐管を継手体の保持部にて嵌合保持することにより、分岐管と保持部の弾性体との間に隙間ができず、流体が分岐管内を円滑に流れるため、使い勝手を向上できる。
【００６２】
請求項２記載の分岐継手によれば、請求項１記載の分岐継手の効果に加え、嵌合溝よりも保持部側の外周面に沿って外側嵌合溝を設け、この外側嵌合溝に嵌合する外側係止片および係止片にて押え具の鍔部を挟持して継手体の外周面に係止する。この結果、係止体の雄ねじ部と押え具の雌ねじ部と螺合を外すと、この押え具と継手体とが連動して継手体が係止体の弾性片を被接続管の開口部の周縁に押圧しない位置まで移動するため、係止体を被接続管から容易に取り外しできる。
【００６３】
請求項３記載の分岐継手によれば、請求項１または２記載の分岐継手の効果に加え、継手体の内周面を平滑に形成したことにより、いわゆる分岐管のやりとりができるため、分岐管を隙間なく継手体に嵌挿できるので、排水が円滑に流れることができる。
【図面の簡単な説明】
【図１】本発明の分岐継手の一実施の形態を示す縦断側面図である。
【図２】同上分岐継手による分岐管の施工方法の一部を示す縦断側面図である。
【図３】同上分岐継手による分岐管の施工方法の一部を示す縦断側面図である。
【図４】同上分岐継手による分岐管の接続状態を示す縦断側面図である。
【図５】同上分岐継手による分岐管の接続状態を示す横断平面図である。
【図６】同上分岐継手による分岐管の接続状態を示す縦断正面図である。
【符号の説明】
１    分岐継手
２    係止体
３    弾性片
５    係止爪部
２２    凹条
２３    雄ねじ部
３１    止水体
４１    継手体
４３    保持部としてのゴム輪受口
４３ｂ    弾性体としてのゴムリング
４４    凸条
４５    嵌合溝
５１    係止片としてのストップリング
５２    外側嵌合溝
５３    外側係止片としてのストップリング
６１    押え具としての袋ナット
６１ａ    鍔部
６２    雌ねじ部
【図１】
0003616595.tif 000002
【図２】
0003616595.tif 000003
【図３】
0003616595.tif 000004
【図４】
0003616595.tif 000005
【図５】
0003616595.tif 000006
【図６】
0003616595.tif 000007